(57)【要約】【課題】ユーザが意図していない挿入紙の給送を防止する。【解決手段】画像形成装置１０２は、用紙に画像を形成する画像形成部２０１と、挿入紙が積載される複数のトレイ２０８、２０９と、複数のトレイのうちの印刷ジョブにより指定された第一のトレイ２０８に挿入紙が積載されていない場合に複数のトレイのうちの挿入紙が積載された第二のトレイ２０９から挿入紙を給送する自動給送切替を行うことを設定する設定手段３１７と、自動給送切替を行うことが設定されている場合であっても、印刷ジョブの開始から１回目の挿入紙の給送時に第一のトレイに挿入紙が積載されていない場合には、自動給送切替を無効にする制御部３１６と、を備える。【選択図】図１０
2020111442.tif 000002
【特許請求の範囲】
【請求項１】
用紙に画像を形成する画像形成部と、
挿入紙が積載される複数のトレイと、
前記複数のトレイのうちの印刷ジョブにより指定された第一のトレイに挿入紙が積載されていない場合に前記複数のトレイのうちの挿入紙が積載された第二のトレイから挿入紙を給送する自動給送切替を行うことを設定する設定手段と、
前記自動給送切替を行うことが設定されている場合であっても、前記印刷ジョブの開始から１回目の挿入紙の給送時に前記第一のトレイに挿入紙が積載されていない場合には、前記自動給送切替を無効にする制御部と、
を備える画像形成装置。
【請求項２】
表示部を更に備え、
前記制御部は、前記印刷ジョブの開始から１回目の挿入紙の給送時に前記第一のトレイに挿入紙が積載されていない場合に前記第一のトレイに挿入紙が積載されていない旨の警告を前記表示部に表示することを特徴とする請求項１に記載の画像形成装置。
【請求項３】
前記制御部は、前記印刷ジョブの開始から１回目の挿入紙の給送後であって２回目以降の挿入紙の給送時に、前記第一のトレイに挿入紙が積載されておらず、前記第二のトレイに挿入紙が積載されている場合は、前記自動給送切替を行うことを特徴とする請求項２に記載の画像形成装置。
【請求項４】
前記制御部は、前記２回目以降の挿入紙の給送時に、前記第一のトレイ及び前記第二のトレイに挿入紙が積載されていない場合は、前記警告を前記表示部に表示することを特徴とする請求項３に記載の画像形成装置。
【請求項５】
前記印刷ジョブに設定された挿入紙は、表紙、裏表紙又は合紙であることを特徴とする請求項１乃至４のいずれか一項に記載の画像形成装置。
【請求項６】
前記印刷ジョブは、ページ記述言語で記述されていることを特徴とする請求項１乃至５のいずれか一項に記載の画像形成装置。
【発明の詳細な説明】
【技術分野】
【０００１】
本発明は、挿入紙が積載される複数のトレイを有する画像形成装置に関する。
【背景技術】
【０００２】
ユーザが任意のアプリケーションで生成したドキュメントデータを、プリンタドライバを介して、印刷物を生成することが可能な画像形成装置が知られている。さらに、画像形成装置に接続されているインサータから、予め印刷されたプレプリント紙（以下、挿入紙という）を給送し、印刷物中に挿入紙を挿入する挿入機能が知られている。挿入機能としては、挿入紙を本文（印刷物）の先頭に挿入する表紙機能、本文（印刷物）の最後に挿入する裏表紙機能及び本文（印刷物）の間に挿入する合紙機能が知られている。
【０００３】
また、インサータは、トレイ上に多くの挿入紙をセットできない構造を有するものが多い。そのため、大量の挿入紙を必要とする印刷物を生成する場合、トレイ上の挿入紙がすぐに無くなることがある。その場合、トレイ上の挿入紙が無くなるたびにユーザがトレイ上に挿入紙を補給する必要があり、ワークフローとしての効率がよくない。
【０００４】
そこで、特許文献１は、インサータに設けられた複数のトレイを自動的に切り替える自動給送切替機能を画像形成装置に設けることによって、ワークフローの改善を図っている。例えば、プリンタドライバによって指定された第一のトレイに挿入紙が無い場合であっても第二のトレイに挿入紙がある場合、自動給送切替機能によって第二のトレイから挿入紙を給送することができる。
【先行技術文献】
【特許文献】
【０００５】
【特許文献１】特開２００８−２３９２９６号公報
【発明の概要】
【発明が解決しようとする課題】
【０００６】
プリンタドライバによって指定される挿入紙情報は、挿入紙の給送部、挿入紙のサイズ及び挿入紙の種類を含む。しかし、プリンタドライバによって挿入紙の給送部のみが指定された挿入紙情報が画像形成装置へ入力されることがある。この挿入紙情報においては、挿入紙のサイズ及び挿入紙の種類の設定が不定である。例えば、プリンタドライバから出力される挿入紙情報は、挿入紙の給送部が第一トレイであり、挿入紙のサイズが指定無しであり、挿入紙の種類が指定無しであることを表していることがある。また、第一のトレイに挿入紙が積載されていない場合、第一のトレイの挿入紙のサイズ及び挿入紙の種類は、未定義の状態（挿入紙情報が不定の状態）である。つまり、プリンタドライバから出力される挿入紙情報の挿入紙のサイズ及び挿入紙の種類は不定であり、第一のトレイの挿入紙情報は未定義の状態である。このような場合であっても、第一のトレイに挿入紙が無く、第二のトレイに挿入紙があれば、従来の自動給送切替機能によって現在の給送部（カレント給送部）が第一のトレイから第二のトレイへ切り替えられて挿入紙が給送される。
【０００７】
しかし、ユーザは、プリンタドライバによって第一のトレイを指定しているので、第二のトレイに積載されている挿入紙がユーザの所望するサイズ及び種類の挿入紙でないことがある。その場合、ユーザが意図していない挿入紙が給送される（誤給送）。挿入紙は、特別な用紙である可能性が高いので、挿入紙の誤給送は避ける必要がある。
【０００８】
そこで、本発明は、ユーザが意図していない挿入紙の給送を防止することができる画像形成装置を提供する。
【課題を解決するための手段】
【０００９】
前記課題を解決するために、本発明の一実施例による画像形成装置は、
用紙に画像を形成する画像形成部と、
挿入紙が積載される複数のトレイと、
前記複数のトレイのうちの印刷ジョブにより指定された第一のトレイに挿入紙が積載されていない場合に前記複数のトレイのうちの挿入紙が積載された第二のトレイから挿入紙を給送する自動給送切替を行うことを設定する設定手段と、
前記自動給送切替を行うことが設定されている場合であっても、前記印刷ジョブの開始から１回目の挿入紙の給送時に前記第一のトレイに挿入紙が積載されていない場合には、前記自動給送切替を無効にする制御部と、
を備えることを特徴とする。
【発明の効果】
【００１０】
本発明によれば、ユーザが意図していない挿入紙の給送を防止することができる。
【図面の簡単な説明】
【００１１】
【図１】印刷システムを示す図。
【図２】ＭＦＰを示す図。
【図３】データ処理システムのブロック図。
【図４】印刷システムの制御動作を示す流れ図。
【図５】プリンタドライバ処理を示す流れ図。
【図６】プリンタ処理を示す流れ図。
【図７】ページ生成処理を示す流れ図。
【図８】印刷処理を示す流れ図。
【図９】挿入紙ページ処理を示す流れ図。
【図１０】１回目の挿入紙処理を示す流れ図。
【図１１】２回目以降の挿入紙処理を示す流れ図。
【図１２】通常ページ処理を示す流れ図。
【図１３】インサータ自動切替設定画面を示す図。
【図１４】挿入紙無し警告画面を示す図。
【図１５】印刷設定画面を示す図。
【発明を実施するための形態】
【００１２】
以下、添付図面を参照して、本発明を実施するための形態を説明する。
（ネットワーク構成）
まず、図１を用いて、印刷システム１００のネットワーク構成を説明する。図１を用いて、印刷システム１００を示す図である。印刷システム１００は、外部機器としてのホストコンピュータ（以下、ＰＣという）１０１と、印刷装置としてのＭＦＰ１０２と、ＰＣ１０１とＭＦＰ１０２を電気的に接続するＬＡＮ、Ｗｉ−Ｆｉ等のネットワーク１０３を有する。ＰＣ１０１は、任意のアプリケーション等を用いて文書データを作成し、プリンタドライバ等で印刷データを作成する。ＭＦＰ１０２は、複写機にＦＡＸ機能及びプリンタ機能を付加した複合機（Multi‐Function Peripheral）である。ＭＦＰ１０２は、プリンタ機能として、例えば、電子写真方式の画像形成装置を含む。
【００１３】
（ＭＦＰ）
次に、図２を用いて、ＭＦＰ１０２を説明する。図２は、ＭＦＰ１０２を示す図である。ＭＦＰ１０２は、画像形成部としての本体２０１と、インサータ２０７と、後処理装置２１０とを有する。ＭＦＰ１０２の本体２０１には、第一の給送デッキ２０２、第二の給送デッキ２０３、第三の給送デッキ２０４及び第四の給送デッキ２０５が引き出し可能に設けられている。第一の給送デッキ２０２、第二の給送デッキ２０３、第三の給送デッキ２０４及び第四の給送デッキ２０５は、ＭＦＰ１０２によって画像が形成される記録媒体（以下、用紙という）を収容する複数の用紙給送部である。ＭＦＰ１０２の本体２０１の側部には、手差しトレイ２０６が設けられている。手差しトレイ２０６には、ＭＦＰ１０２によって印刷される用紙がセットされる。ＭＦＰ１０２の上部には、原稿の画像を読み取る画像読取装置（イメージスキャナ）２１４と、画像読取装置２１４へ原稿を給送する自動原稿給送装置２１５が設けられている。
【００１４】
（インサータ）
インサータ２０７は、ＭＦＰ１０２の本体２０１に接続されている。インサータ２０７には、インサータへ挿入される挿入紙がセットされる複数のトレイ（挿入紙給送部）が設けられている。本実施例においては、インサータ２０７は、第一のトレイ２０８及び第二のトレイ２０９が設けられている。第一のトレイ２０８及び第二のトレイ２０９は、ＭＦＰ１０２によって画像が形成された用紙（印刷物）に挿入すべき挿入紙がセット（積載）される。第一のトレイ２０８及び第二のトレイ２０９は、第一のトレイ２０８及び第二のトレイ２０９に挿入紙がセットされたか否かを検出する用紙センサ２１８、２１９がそれぞれ設けられている。第一のトレイ２０８には、第一の給送手段としての第一の給送ローラ１０８が設けられている。第一の給送ローラ１０８は、第一のトレイ２０８にセットされた挿入紙をインサータ２０７へ給送する。第二のトレイ２０９には、第二の給送手段としての第二の給送ローラ１０９が設けられている。第二の給送ローラ１０９は、第二のトレイ２０９にセットされた挿入紙をインサータ２０７へ給送する。
【００１５】
（後処理装置）
フィニッシャー（以下、後処理装置という）２１０は、インサータ２０７に接続されている。後処理装置２１０には、ＭＦＰ１０２によって画像が形成された用紙とインサータ２０７によって挿入された挿入紙が排出される複数の排出トレイが設けられている。本実施例においては、後処理装置２１０は、第一の排出トレイ２１１、第二の排出トレイ２１２及び第三の排出トレイ２１３が設けられている。
【００１６】
（データ処理システム）
次に、図３を用いて、ＰＣ１０１及びＭＦＰ１０２のデータ処理システム１１０を説明する。図３は、データ処理システム１１０のブロック図である。ＰＣ１０１は、プリンタドライバ３０３、記憶領域３０４及び通信インタフェイス（以下、Ｉ／Ｆという）３０５を有する。ドキュメントデータ３０２は、記憶領域３０４に保存される。ドキュメントデータ３０２は、ＰＣ１０１にインストールされた文書作成アプリケーションによって作成される。プリンタドライバ３０３は、ドキュメントデータ３０２からＰＤＬ（Page Description Language）データを作成する。ここで、ＰＤＬは、ＰＳ（PostScript）、ＰＣＬ（Printer Command Language）、ＬＩＰＳ（LBP Image Processing System）等のページ記述言語である。もちろん、ＰＤＬは、前述以外のページ記述言語であってもよい。記憶領域３０４は、ドキュメントデータ３０２及びドキュメントデータ３０２を作成するための文書作成アプリケーションを保存する。記憶領域３０４は、プリンタドライバ３０３を保存していてもよい。Ｉ／Ｆ３０５は、プリンタドライバ３０３によって作成されたＰＤＬデータ（印刷ジョブ）をＭＦＰ１０２へネットワーク１０３を介して送信する。
【００１７】
ＭＦＰ１０２は、Ｉ／Ｆ３０７、データ受信部３０８、インタプリタ３０９、レンダラ３１１、イメージデータ記憶部３１２、プリンタエンジン３１３、画像読取装置２１４、記憶部３１５、制御部３１６及びユーザインタフェイス（以下、ＵＩという）を有する。Ｉ／Ｆ３０７は、ＰＣ１０１から送信されるＰＤＬデータを受け取る。データ受信部３０８は、Ｉ／Ｆ３０７を介してＰＤＬデータを受信し、保存する。インタプリタ３０９は、データ受信部３０８によって受信されたＰＤＬデータを解析する。インタプリタ３０９は、ＰＳ、ＰＣＬ、ＬＩＰＳ等のＰＤＬのフォーマットを解析できる。インタプリタ３０９は、ＰＳ、ＰＣＬ、ＬＩＰＳ以外のフォーマットを解析してもよい。インタプリタ３０９は、データ受信部３０８によって受信されたＰＤＬデータを解析する。制御部３１６は、インタプリタ３０９によって解析されたＰＤＬデータを中間データ３１０へ変換する。レンダラ３１１は、中間データ３１０を解析し、イメージデータへ変換する。イメージデータ記憶部３１２は、レンダラ３１１の処理結果として得られるイメージデータを保存する。プリンタエンジン３１３は、イメージデータ記憶部３１２に保存されているイメージデータをビデオデータへ変換して画像形成動作を実行する。
【００１８】
画像読取装置２１４は、原稿の画像を読み取る。画像読取装置２１４によって読み取られた画像は、イメージデータとしてイメージデータ記憶部３１２に保存される。記憶部３１５は、イメージデータ記憶部３１２に保存されているイメージデータを保存し、また、各種印刷の設定情報を保存する。制御部３１６は、各種処理を行なうためのプログラムを実行する。ＵＩ３１７は、ユーザがＭＦＰ１０２を操作するための操作画面を表示する。また、ＵＩ３１７は、ＭＦＰ１０２に設定された設定情報を示す表示画面を表示する。制御部３１６は、ＵＩ３１７の操作画面を介してユーザによって設定された設定値を記憶部３１５に保存する。
【００１９】
（印刷システムの制御動作）
次に、図４を参照して、印刷システム１００の制御動作を説明する。図４は、印刷システム１００の制御動作を示す流れ図である。印刷システム１００は、ＰＣ１０１とＭＦＰ１０２がネットワーク１０３で接続されている。ＰＣ１０１にインストールされた文書作成アプリケーションによって生成されたドキュメントデータ３０２は、プリンタドライバ３０３によってＰＤＬデータへ変換される。ＰＤＬデータは、Ｉ／Ｆ３０５、ネットワーク１０３及びＩ／Ｆ３０７を介してＭＦＰ１０２へ送信される。その後、制御部３１６は、給送手段としての第一の給送デッキ２０２、第二の給送デッキ２０３、第三の給送デッキ２０４、第四の給送デッキ２０５及び手差しトレイ２０６のいずれかから用紙を給送する。ＭＦＰ１０２は、ＰＤＬデータから変換されたイメージデータに基づいて用紙に画像を形成する。また、制御部３１６は、インサータ２０７の第一のトレイ２０８又は第二のトレイ２０９から挿入紙を給送する。そして、制御部３１６は、用紙及び挿入紙を第一の排出トレイ２１１、第二の排出トレイ２１２又は第三の排出トレイ２１３へ排出する。
【００２０】
ステップＳ４０１（以下、「ステップ」を省略する）で、制御部３１６は、印刷システム１００の制御動作を開始する。Ｓ４０２で、制御部３１６は、ＵＩ３１７にインサータ自動切替設定画面を表示する。ユーザは、設定手段としてのＵＩ３１７に表示されたインサータ自動切替設定画面からインサータ自動切替（インサータＡＣＣ）を行うか否かを設定する。
【００２１】
図１３は、インサータ自動切替設定画面１３０１を示す図である。インサータ自動切替設定画面１３０１は、インサータ自動切替タブ１３０２、ＯＮボタン１３０３、ＯＦＦボタン１３０４、ＯＫボタン１３０５及びキャンセルボタン１３０６を含む。インサータ自動切替タブ１３０２は、インサータ自動切替設定画面１３０１が選択されていることを示す。ＯＮボタン１３０３は、インサータ自動切替を行う場合にユーザによって選択される「ＯＮ」の選択肢を示している。ＯＦＦボタン１３０４は、インサータ自動切替を行わない場合にユーザによって選択される「ＯＦＦ」の選択肢を示している。図１３においては、ＯＮボタン１３０３が選択されてグレイで表示され、ＯＦＦボタン１３０４が選択されずホワイトで表示されており、インサータ自動切替を行うＯＮ状態が示されている。ＯＫボタン１３０５は、インサータ自動切替設定画面１３０１におけるインサータ自動切替設定を確定させるための確定ボタンである。ユーザがＯＫボタン１３０５にタッチすると、インサータ自動切替設定画面１３０１におけるインサータ自動切替設定が確定する。ユーザは、キャンセルボタン１３０６にタッチすることによって、インサータ自動切替設定画面１３０１におけるインサータ自動切替設定をキャンセルすることができる。
【００２２】
インサータ自動切替設定画面１３０１においてインサータ自動切替を行うＯＮ状態が設定された場合、インサータ２０７の第一のトレイ２０８と第二のトレイ２０９との間でインサータ自動切替が行われる。逆に、インサータ自動切替を行わないＯＦＦ状態が設定された場合、インサータ２０７の第一のトレイ２０８と第二のトレイ２０９との間でインサータ自動切替は行なわれない。なお、インサータ自動切替がＯＮ状態に設定された状態で、以下、本実施例を説明する。
【００２３】
Ｓ４０３で、ＰＣ３０１は、プリンタドライバ処理を行う。プリンタドライバ処理において、ユーザは、ＰＣ１０１にインストールされた文書作成アプリケーションによってドキュメントデータ３０２を生成する。プリンタドライバ３０３は、ドキュメントデータ３０２からＰＤＬデータを生成する。さらに、プリンタドライバ３０３は、ＰＤＬデータに従って印刷が行われる際に使用される各種設定もあわせて行う。ＰＤＬデータは、Ｉ／Ｆ３０５、ネットワーク１０３及びＩ／Ｆ３０７を介してＭＦＰ１０２へ送信される。なお、Ｓ４０３で実行されるプリンタドライバ処理については、図５を用いて後述する。
【００２４】
Ｓ４０４で、ＭＦＰ１０２は、プリンタ処理を行う。プリンタ処理おいて、制御部３１６は、データ受信部３０８、インタプリタ３０９及びレンダラ３１１を制御し、ＰＤＬデータを受信し、ＰＤＬデータをイメージデータへ変換する。そして、制御部３１６は、プリンタエンジン３１３を制御し、イメージデータをビデオデータへ変換し、ビデオデータに基づいて用紙に画像を形成する。また、制御部３１６は、挿入紙の設定があるか否かを判断するためにＰＤＬデータを解析する。挿入紙の設定があれば、制御部３１６は、インサータ２０７から挿入紙を給送し、印刷物へ挿入する。なお、Ｓ４０４で実行されるプリンタ処理については、図６を用いて後述する。Ｓ４０５で、制御部３１６は、印刷システム１００の制御動作を終了する。
【００２５】
（プリンタドライバ処理）
次に、図５を用いて、図４のＳ４０３で実行されるプリンタドライバ処理を説明する。図５は、プリンタドライバ処理を示す流れ図である。まず、図１５を用いて、プリンタドライバ３０３によってＰＣ３０１の表示部に表示される印刷設定画面１５０１を説明する。図１５は、印刷設定画面１５０１を示す図である。印刷設定画面１５０１は、印刷設定タブ１５０２、用紙サイズ設定欄１５０３、用紙給送部設定欄１５０４、挿入紙設定欄１５０５、挿入場所設定欄１５０６、挿入紙給送部設定欄１５０７及び印刷設定欄１５０８を含む。印刷設定タブ１５０２は、ＰＣ３０１の表示部に印刷設定画面１５０１が表示されていることを示す。用紙サイズ設定欄１５０３は、本文の用紙サイズを設定するために用いられる。図１５においては、「原稿サイズ」が設定されている。「原稿サイズ」の他に「Ａ４サイズ」、「Ａ３サイズ」等のＭＦＰ１０２によって給送可能な用紙サイズが設定可能である。
【００２６】
用紙給送部設定欄１５０４は、本文の用紙を給送する給送部を設定するために用いられる。図１５においては、「第一の給送デッキ２０２」が設定されている。「第一の給送デッキ２０２」の他に「第二の給送デッキ２０３」、「第三の給送デッキ２０４」等のＭＦＰ１０２によって用紙を給送可能な給送部が設定可能である。挿入紙設定欄１５０５は、挿入紙の種類を設定するために用いられる。図１５においては、「合紙」が設定されている。「合紙」の他に「表紙」、「裏表紙」等のインサータ２０７又はＭＦＰ１０２によって挿入可能な挿入紙の種類が設定可能である。挿入場所設定欄１５０６は、挿入紙設定欄１５０５によって設定された「挿入紙」の挿入場所を入力するために用いられる。図１５においては、「３，７，９」の３か所が設定されている。「３，７，９」は、本文の３ページ目の前、７ページ目の前及び９ページ目の前に挿入紙を挿入することを示している。なお、ユーザは、ＰＣ１０１に装備されているキーボード（不図示）を使って挿入場所設定欄１５０６に挿入場所を入力することができる。
【００２７】
挿入紙給送部設定欄１５０７は、挿入紙の給送部を設定するために用いられる。図１５においては、「第一のトレイ２０８」が設定されている。「第一のトレイ２０８」の他に「第二のトレイ２０９」等のＭＦＰ１０２に接続されているインサータ２０７によって給送可能な給送部又は「第二の給送デッキ２０３」、「第三の給送デッキ２０４」等のＭＦＰ１０２によって給送可能な給送部が設定可能である。印刷設定欄１５０８は、挿入紙の印刷を設定するために用いられる。図１５においては、「印刷しない」が設定されている。「印刷しない」の他にも「印刷する」が設定可能である。なお、挿入紙をインサータ２０７から給送する場合、挿入紙に印刷を行うことができないので、「印刷しない」のみが設定可能である。なお、ユーザは、用紙サイズ設定欄１５０３、用紙給送部設定欄１５０４、挿入紙設定欄１５０５、挿入紙給送部設定欄１５０７及び印刷設定欄１５０８のそれぞれの右側の上矢印ボタン又は下矢印ボタンをタッチすることによって、設定を変更することができる。
【００２８】
Ｓ５０１で、プリンタドライバ処理を開始する。Ｓ５０２で、ユーザは、文書作成アプリケーションによってドキュメントデータ３０２を生成する。なお、本実施例において、ドキュメントデータ３０２のサイズは、「Ａ４」であるが、ドキュメントデータ３０２のサイズは、Ｂ５、Ａ３、ＬＴＲ（レターサイズ）であってもよい。Ｓ５０３で、ユーザは、本文設定を行う。本文設定において、ユーザは、プリンタドライバ３０３によってＰＣ３０１の表示部に表示された印刷設定画面１５０１における本文の用紙サイズ設定欄１５０３から用紙サイズを設定し、用紙給送部設定欄１５０４から用紙を給送する給送部を設定する。本実施例では、用紙サイズ設定欄１５０３に「原稿サイズ」が設定されており、用紙給送部設定欄１５０４に「第一の給送デッキ２０２」が設定されている。なお、「原稿サイズ」は、ドキュメントデータ３０２のページのサイズを示しており、本実施例では「Ａ４」サイズが設定されている。これにより、ＭＦＰ１０２の画像形成部としてのプリンタエンジン３１３が印刷動作を実行する際に、Ａ４サイズの用紙が第一の給送デッキ２０２からプリンタエンジン３１３へ給送されることが設定される。
【００２９】
Ｓ５０４で、ユーザは、挿入紙設定を行う。挿入紙設定において、ユーザは、印刷設定画面１５０１における挿入紙設定欄１５０５から挿入紙の種類を設定し、挿入場所設定欄１５０６から挿入紙の挿入場所（挿入位置）を設定し、挿入紙給送部設定欄１５０７から挿入紙を給送する給送部を設定する。また、ユーザは、 印刷設定欄１５０８から、挿入紙に画像を形成するか否かを設定する。本実施例では、挿入紙設定欄１５０５に「合紙」が設定されており、挿入場所設定欄１５０６に「３，７，９」が設定されており、挿入紙給送部設定欄１５０７に「第一のトレイ２０８」が設定されており、印刷設定欄１５０８に「印刷しない」が設定されている。これにより、インサータ２０７の第一のトレイ２０８から合紙が給送され、本文の３ページ目の前、７ページ目の前及び９ページ目の前に合紙が挿入されることが設定される。
【００３０】
Ｓ５０５で、プリンタドライバ３０３は、ドキュメントデータ３０２をＰＤＬデータへ変換する。また、プリンタドライバ３０３は、Ｓ５０３の本文設定によって設定された情報及びＳ５０４の挿入紙設定によって設定された情報を、ＰＤＬデータに付加する。Ｓ５０６で、プリンタドライバ３０３は、Ｉ／Ｆ３０５、ネットワーク１０３及びＩ／Ｆ３０７を介してＭＦＰ１０２へＰＤＬデータを送信する。Ｓ５０７で、制御部３１６は、プリンタドライバ処理を終了する。
【００３１】
（プリンタ処理）
次に、図６を用いて、図４のＳ４０４で実行されるプリンタ処理を説明する。図６は、プリンタ処理を示す流れ図である。Ｓ６０１で、制御部３１６は、プリンタ処理を開始する。Ｓ６０２で、制御部３１６は、ページ生成処理を行う。ページ生成処理において、ＰＣ１０１から送信されたＰＤＬデータは、イメージデータへ変換される。この際に、制御部３１６は、ＰＤＬデータの総ページ数Ｐ＿ＭＡＸ（変数）を記憶部３１５に保存する。なお、ページ生成処理についての詳細は、図７を用いて後述する。Ｓ６０３で、制御部３１６は、印刷処理を行う。印刷処理において、制御部３１６は、プリンタエンジン３１３を制御し、Ｓ６０２で生成されたイメージデータをビデオデータへ変換する。プリンタエンジン３１３は、ビデオデータに従って用紙に画像を形成する。画像が形成された用紙は、挿入紙がある場合は挿入紙と共に、後処理が必要な場合は後処理が施されて、第一の排出トレイ２１１、第二の排出トレイ２１２又は第三の排出トレイ２１３へ排出される。なお、印刷処理についての詳細は、図８を用いて後述する。Ｓ６０４で、制御部３１６は、プリンタ処理を終了する。
【００３２】
（ページ生成処理）
次に、図７を用いて、図６のＳ６０２で実行されるページ生成処理を説明する。図７は、ページ生成処理を示す流れ図である。Ｓ７０１で、制御部３１６は、ページ生成処理を開始する。Ｓ７０２で、データ受信部３０８は、ＰＣ１０１にインストールされた文書作成アプリケーションによって生成されたドキュメントデータ３０２からプリンタドライバ３０３によって生成されたＰＤＬデータを受信する。Ｓ７０３で、インタプリタ３０９は、データ受信部３０８から受信されたＰＤＬデータを解析する。
【００３３】
Ｓ７０４で、制御部３１６は、インタプリタ３０９によって解析されたＰＤＬデータから中間データを生成する。中間データは、「ビットマップ」、「ランレングス」、「台形」、「ボックス」及び「高速境界符合化されたビットマップ」等の描画オブジェクトと背景パターン、及び、それらをラスタメモリ（不図示）に描画する際の描画論理の総称を指す。また、制御部３１６は、ＰＤＬデータに、Ｓ５０３で設定された本文の用紙サイズや用紙給送部の情報とＳ５０４で設定された挿入紙の種類、挿入場所、挿入紙給送部及び引接設定が付加されている場合、各々の設定を記憶部３１５に保存する。本実施例の場合、本文の用紙サイズとして「Ａ４」及び用紙給送部として「第一の給送デッキ２０２」の用紙情報が記憶部３１５に保存される。また、挿入紙の種類として「合紙」、挿入場所として「本文の３ページ目の前、７ページ目の前、９ページ目の前」、挿入紙給送部として「第一のトレイ２０８」及び印刷設定として「印刷しない」の挿入紙情報が記憶部３１５に保存される。また、制御部３１６は、ＰＤＬデータの総ページ数Ｐ＿ＭＡＸを算出し、記憶部３１５に保存する。
【００３４】
Ｓ７１５で、制御部３１６は、レンダラ３１１へ、ラスタイメージプロセッサ（以下、ＲＩＰという）によって中間データ３１０を処理するように指示する。レンダラ３１１は、ＲＩＰによって中間データ３１０をイメージデータへ変換し、イメージデータをイメージデータ記憶部３１２に保存する。Ｓ７０６で、制御部３１６は、ページ生成処理を終了する。
【００３５】
（印刷処理）
次に、図８を用いて、図６のＳ６０３で実行される印刷処理を説明する。図８は、印刷処理を示す流れ図である。Ｓ８０１で、制御部３１６は、印刷処理を開始する。Ｓ８０２で、制御部３１６は、処理中のページ数を示すパラメータＰをＰ＝１に初期化する。なお、パラメータＰは、１以上（Ｐ≧１）を満たす整数値である。Ｓ８０３で、制御部３１６は、パラメータＰが総ページ数Ｐ＿ＭＡＸより大きいか否かを判断する。なお、総ページ数Ｐ＿ＭＡＸは、Ｓ７０４で記憶部３１５に保存されている。制御部３１６は、記憶部３１５から総ページ数Ｐ＿ＭＡＸを読み出し、パラメータＰと比較する。パラメータＰが総ページ数Ｐ＿ＭＡＸ以下である場合（Ｓ８０３でＮＯ）、制御部３１６は、まだ印刷処理可能なページがあると判断し、処理をＳ８０４へ進める。パラメータＰが総ページ数Ｐ＿ＭＡＸより大きい場合（Ｓ８０３でＹＥＳ）、制御部３１６は、印刷処理可能なページがないと判断し、印刷処理を終了する（Ｓ８０９）。
【００３６】
Ｓ８０４で、制御部３１６は、パラメータＰのページ情報を記憶部３１５から読み出す。Ｓ８０５で、制御部３１６は、記憶部３１５から読み出したページ情報を解析し、当該ページが挿入紙か否かを判断する。当該ページが挿入紙か否かは、記憶部３１５に保存されている挿入紙の種類を読み出すことによって判断する。制御部３１６が当該ページは挿入紙でないと判断した場合（Ｓ８０５でＮＯ）、制御部３１６は、処理をＳ８０６へ進める。制御部３１６が当該ページは挿入紙であると判断した場合（Ｓ８０５でＹＥＳ）、制御部３１６は、処理をＳ８０７へ進める。
【００３７】
Ｓ８０６で、制御部３１６は、通常ページ処理を実行する。通常ページ処理において、制御部３１６は、Ｓ６０２で生成されたイメージデータをビデオデータへ変換し、ビデオデータをプリンタエンジン３１３へ転送する。プリンタエンジン３１３は、ビデオデータに従って用紙に画像を形成し、排出処理を行う。なお、通常ページ処理についての詳細は、図１２を用いて後述する。Ｓ８０７で、制御部３１６は、挿入紙ページ処理を実行する。挿入紙ページ処理において、制御部３１６は、インサータ２０７から給送される合紙を本文に挿入する処理を実行する。なお、挿入紙ページ処理についての詳細は、図９を用いて後述する。Ｓ８０８で、制御部３１６は、処理中のページを示すパラメータＰを次のページに変更し（Ｐ＝Ｐ＋１）、処理をＳ８０３へ戻す。パラメータＰが総ページ数Ｐ＿ＭＡＸより大きい場合（Ｓ８０３でＹＥＳ）、制御部３１６は、印刷処理を終了する（Ｓ８０９）。
【００３８】
（挿入紙ページ処理）
次に、図９を用いて、図８のＳ８０７で実行される挿入紙ページ処理を説明する。図９は、挿入紙ページ処理を示す流れ図である。Ｓ９０１で、制御部３１６は、挿入紙ページ処理を開始する。Ｓ９０２で、制御部３１６は、当該ページが１回目の挿入紙ページであるか否かを判断する。当該ページが１回目の挿入紙ページであるか否かの判断は、制御部３１６が記憶部３１５から挿入紙の挿入場所を読み出すことによって行われる。当該ページが１回目の挿入紙ページであると判断された場合（Ｓ９０２でＹＥＳ）、制御部３１６は、処理をＳ９０３へ進める。当該ページが２回目以降の挿入紙ページであると判断された場合（Ｓ９０２でＮＯ）、制御部３１６は、処理をＳ９０４へ進める。Ｓ９０３で、制御部３１６は、１回目の挿入紙処理を実行する。なお、１回目の挿入紙処理についての詳細は、図１０を用いて後述する。Ｓ９０４で、制御部３１６は、２回目以降の挿入紙処理を実行する。なお、２回目以降の挿入紙処理についての詳細は、図１１を用いて後述する。Ｓ９０５で、制御部３１６は、挿入紙ページ処理を終了する。
【００３９】
（１回目の挿入紙処理）
次に、図１０を用いて、図９のＳ９０３で実行される１回目の挿入紙処理を説明する。図１０は、１回目の挿入紙処理を示す流れ図である。Ｓ１００１で、制御部３１６は、１回目の挿入紙処理を開始する。Ｓ１００２で、制御部３１６は、記憶部３１５から挿入紙情報を読み出す。なお、ここでは、制御部３１６によって記憶部３１５から読み出した挿入紙情報が挿入紙の給送部設定のみを含み、挿入紙のサイズ設定及び種類設定を含んでいない場合を説明する。制御部３１６は、挿入紙の給送部設定を読み出し、読み出した挿入紙の給送部に挿入紙が有るか否かを判断する。本実施例においては、挿入紙の給送部として第一のトレイ２０８が設定されている場合を説明する。第一のトレイ２０８に挿入紙が有ると判断された場合（Ｓ１００２でＹＥＳ）、制御部３１６は、処理をＳ１００６へ進める。第一のトレイ２０８に挿入紙が無いと判断された場合（Ｓ１００２でＮＯ）、制御部３１６は、処理をＳ１００３へ進める。
【００４０】
Ｓ１００３で、制御部３１６は、ＵＩ３１７に挿入紙無し警告画面１４０１を表示する。制御部３１６は、自動給送切替を行うことが設定されている場合であっても、印刷ジョブの開始から１回目の挿入紙の給送時に第一のトレイ２０８に挿入紙が積載されていない場合に自動給送切替を無効にする。ここで、図１４を用いて、ＵＩ３１７に表示される挿入紙無し警告画面１４０１を説明する。図１４は、挿入紙無し警告画面１４０１を示す図である。挿入紙無し警告画面１４０１には、「第一のトレイに挿入紙がありません。」という警告が表示される。同様にして、第一のトレイ２０８以外の挿入紙給送部に挿入紙が無いと判断された場合、挿入紙無し警告画面１４０１に警告文が表示される。Ｓ１００４で、制御部３１６は、第一のトレイ２０８に挿入紙がセットされたか否かを判断する。挿入紙がセットされたか否かは、第一のトレイ２０８に設けられた用紙センサ２１８によって検出される。制御部３１６は、第一のトレイ２０８に挿入紙がセットされていないと判断した場合（Ｓ１００４でＮＯ）、処理をＳ１００４へ戻し、第一のトレイ２０８に挿入紙がセットされるまでＳ１００４の判断を繰り返す。制御部３１６は、第一のトレイ２０８に挿入紙がセットされたと判断した場合（Ｓ１００４でＹＥＳ）、処理をＳ１００５へ進める。
【００４１】
Ｓ１００５で、制御部３１６は、ＵＩ３１７に表示されている挿入紙無し警告画面１４０１を非表示にし、挿入紙無し警告を解除する。Ｓ１００６で、制御部３１６は、第一のトレイ２０８をカレント給送部として設定し、カレント給送部としての第一のトレイ２０８の情報を記憶部３１５に保存する。なお、カレント給送部の情報は、この時点で初めて設定される（Ｓ１００７）。Ｓ１００８で、制御部３１６は、カレント給送部としての第一のトレイ２０８から挿入紙を給送する。Ｓ１００９で、制御部３１６は、１回目の挿入紙処理を終了する。
【００４２】
（２回目以降の挿入紙処理）
次に、図１１を用いて、図９のＳ９０４で実行される２回目以降の挿入紙処理を説明する。図１１は、２回目以降の挿入紙処理を示す流れ図である。印刷ジョブの開始から１回目の挿入紙の給送後に、２回目以降の挿入紙の給送が行われる。Ｓ１１０１で、制御部３１６は、２回目以降の挿入紙処理を開始する。Ｓ１１０２で、制御部３１６は、インサータ自動切替（インサータＡＣＣ）がＯＮ状態に設定されているか否かを判断する。制御部３１６は、インサータ自動切替がＯＮ状態に設定されていると判断した場合（Ｓ１１０２でＹＥＳ）、処理をＳ１１０３へ進める。制御部３１６は、インサータ自動切替がＯＦＦ状態に設定されていると判断した場合、処理をＳ１１１０へ進める。
【００４３】
Ｓ１１０３で、制御部３１６は、記憶部３１５からカレント給送部の情報を読み出す。Ｓ１１０４で、制御部３１６は、カレント給送部の情報からカレント給送部を読み出し、カレント給送部に挿入紙が有るか否かを判断する。制御部３１６は、カレント給送部に挿入紙が無いと判断した場合（Ｓ１１０４でＮＯ）、処理をＳ１１０５へ進める。制御部３１６は、カレント給送部に挿入紙が有ると判断した場合（Ｓ１１０４でＹＥＳ）、処理をＳ１１１４へ進める。
【００４４】
Ｓ１１０５で、制御部３１６は、インサータ自動切替可能な給送部が存在するか否かを判断する。ここで、インサータ自動切替可能な給送部が存在するか否かは、カレント給送部以外の給送部にカレント給送部にセットされていた挿入紙と同じ挿入紙がセットされているか否かによって判断される。制御部３１６は、インサータ自動切替可能な給送部が存在すると判断した場合（Ｓ１１０５でＹＥＳ）、処理をＳ１１０９へ進める。制御部３１６は、インサータ自動切替可能な給送部が存在しないと判断した場合（Ｓ１１０５でＮＯ）、処理をＳ１１０６へ進める。
【００４５】
Ｓ１１０６で、制御部３１６は、ＵＩ３１７に挿入紙無し警告画面１４０１を表示する。Ｓ１１０７で、制御部３１６は、カレント給送部に挿入紙がセットされたか否かを判断する。カレント給送部に挿入紙がセットされたか否かは、カレント給送部が第一のトレイ２０８である場合は用紙センサ２１８の検出結果に基づいて、カレント給送部が第二のトレイ２０９である場合は用紙センサ２１９の検出結果に基づいて判断される。制御部３１６は、カレント給送部に挿入紙がセットされていないと判断した場合（Ｓ１１０７でＮＯ）、処理をＳ１１０７へ戻し、カレント給送部に挿入紙がセットされるまでＳ１１０７の判断を繰り返す。制御部３１６は、カレント給送部に挿入紙がセットされたと判断した場合（Ｓ１１０７でＹＥＳ）、処理をＳ１１０８へ進める。
【００４６】
Ｓ１１０８で、制御部３１６は、ＵＩ３１７に表示されている挿入紙無し警告画面１４０１を非表示にし、挿入紙無し警告を解除する。Ｓ１１０９で、制御部３１６は、カレント給送部を同じ挿入紙がセットされている他の給送部へ変更する。カレント給送部の変更は、インサータ自動給送切替によって行われる。制御部３１６は、変更後のカレント給送部の情報を記憶部３１５に保存する。制御部３１６は、ＰＤＬデータ（印刷ジョブ）により指定された第一のトレイ２０８に挿入紙がセットされていない場合に第二のトレイ２０９から挿入紙を給送する自動給送切替を行う。
【００４７】
Ｓ１１１０で、制御部３１６は、カレント給送部に挿入紙が有るか否かを判断する。制御部３１６は、カレント給送部に挿入紙が無いと判断した場合（Ｓ１１１０でＮＯ）、処理をＳ１１１１へ進める。制御部３１６は、カレント給送部に挿入紙が有ると判断した場合（Ｓ１１１０でＹＥＳ）、処理をＳ１１１４へ進める。
【００４８】
Ｓ１１１１で、制御部３１６は、ＵＩ３１７に挿入紙無し警告画面１４０１を表示する。Ｓ１１１２で、制御部３１６は、カレント給送部に挿入紙がセットされたか否かを判断する。制御部３１６は、カレント給送部に挿入紙がセットされていないと判断した場合（Ｓ１１１２でＮＯ）、処理をＳ１１１２へ戻し、カレント給送部に挿入紙がセットされるまでＳ１１１２の判断を繰り返す。制御部３１６は、カレント給送部に挿入紙がセットされたと判断した場合（Ｓ１１１２でＹＥＳ）、処理をＳ１１１３へ進める。
【００４９】
Ｓ１１１３で、制御部３１６は、ＵＩ３１７に表示されている挿入紙無し警告画面１４０１を非表示にし、挿入紙無し警告を解除する。Ｓ１１１４で、制御部３１６は、挿入紙をカレント給送部から給送する。これによって、画像が形成された用紙に挿入紙が挿入される。Ｓ１１１５で、制御部３１６は、２回目以降の挿入紙処理を終了する。
【００５０】
（通常ページ処理）
次に、図１２を用いて、図８のＳ８０６で実行される通常ページ処理を説明する。図１２は、通常ページ処理を示す流れ図である。Ｓ１２０１で、制御部３１６は、通常ページ処理を開始する。Ｓ１２０２で、制御部３１６は、イメージデータ記憶部３１２から処理中のページのイメージデータを読み出す。Ｓ１２０３で、制御部３１６は、第一の給送デッキ２０２から用紙を給送する。Ｓ１２０４で、制御部３１６は、イメージデータ記憶部３１２に保存されているイメージデータをビデオデータへ変換し、プリンタエンジン３１３へ転送する。Ｓ１２０５で、制御部３１６は、第一の給送デッキ２０２から給送された用紙に、ビデオデータに従って印刷を行う。Ｓ１２０６で、制御部３１６は、通常ページ処理を終了する。
【００５１】
本実施例によれば、ユーザが意図していない挿入紙の給送を防止することができる。
【符号の説明】
【００５２】
１０２・・・ＭＦＰ（画像形成装置）
２０１・・・本体（画像形成部）
２０８・・・第一のトレイ
２０９・・・第二のトレイ
３１６・・・制御部
３１７・・・ＵＩ（設定手段）
【図１】
2020111442.tif 000003
【図２】
2020111442.tif 000004
【図３】
2020111442.tif 000005
【図４】
2020111442.tif 000006
【図５】
2020111442.tif 000007
【図６】
2020111442.tif 000008
【図７】
2020111442.tif 000009
【図８】
2020111442.tif 000010
【図９】
2020111442.tif 000011
【図１０】
2020111442.tif 000012
【図１１】
2020111442.tif 000013
【図１２】
2020111442.tif 000014
【図１３】
2020111442.tif 000015
【図１４】
2020111442.tif 000016
【図１５】
2020111442.tif 000017